【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
無線ネットワークにおいて通信する方法であって、
タイプ値を有するタイプ・フィールドと、媒体アクセス制御フレームの特定のタイプの予約された値を有する、持続時間フィールドを含む、１または複数のフィールドと、を備えるヘッダを備える媒体アクセス制御フレームを、プロセッサによって生成することと、
前記媒体アクセス制御フレームを送信することとを備え、
前記１または複数のフィールドは、１または複数の値を有し、
前記媒体アクセス制御フレームのタイプは、タイプ値と前記１または複数の値との両方によって示され、
前記タイプ値は、前記媒体アクセス制御フレームのタイプはエンハンスされたＰＳ−ＰＯＬＬフレームであると示し、前記持続時間フィールドの１または複数の値は、前記エンハンスされたＰＳ−ＰＯＬＬのタイプを示す方法。
【請求項２】
前記１または複数のフィールドは、リトライ・フィールドを備え、前記１または複数の値は、リトライ値を備え、
前記リトライ値は、０または１である第１のバイナリ値を有し、前記リトライ値が１である場合、前記タイプ値は、０１または１１である第２のバイナリ値を有する、請求項１に記載の方法。
【請求項３】
前記１または複数のフィールドは、リトライ・フィールドを備え、前記１または複数の値は、リトライ値を備え、
前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、請求項１に記載の方法。
【請求項４】
無線通信装置であって、
タイプ値を有するタイプ・フィールドと、媒体アクセス制御フレームの特定のタイプの予約された値を有する、持続時間フィールドを含む、１または複数のフィールドと、を備えるヘッダを備える媒体アクセス制御フレームを生成する手段と、
前記媒体アクセス制御フレームを送信する手段とを備え、
前記１または複数のフィールドは、１または複数の値を有し、
前記媒体アクセス制御フレームのタイプは、前記タイプ値と前記１または複数の値との両方によって示され、
前記タイプ値は、前記媒体アクセス制御フレームのタイプはエンハンスされたＰＳ−ＰＯＬＬフレームであると示し、前記持続時間フィールドの１または複数の値は、前記エンハンスされたＰＳ−ＰＯＬＬのタイプを示す装置。
【請求項５】
前記１または複数のフィールドは、リトライ・フィールドを備え、前記１または複数の値は、リトライ値を備え、
前記リトライ値は、０または１である第１のバイナリ値を有し、前記リトライ値が１である場合、前記タイプ値は、０１または１１である第２のバイナリ値を有する、請求項４に記載の装置。
【請求項６】
前記１または複数のフィールドは、リトライ・フィールドを備え、前記１または複数の値は、リトライ値を備え、
前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、請求項４に記載の装置。
【請求項７】
１または複数のフィールドは、２またはそれより多くのフィールドを備え、
連結された前記２またはそれより多くのフィールドは、前記予約された値を有し、
前記２またはそれより多くのフィールドは、２またはそれより多くの値を有し、
前記媒体アクセス制御フレームのタイプは、前記タイプ値と、連結された前記２またはそれより多くの値との両方によって示される、請求項４に記載の装置。
【請求項８】
無線ネットワークにおいて通信する方法であって、
タイプ値を有するタイプ・フィールドと、媒体アクセス制御フレームの特定のタイプの予約された値を有する、持続時間フィールドを含む、１または複数のフィールドと、を備えるヘッダを備える媒体アクセス制御フレームを、受信機を用いて受信することと、
タイプ値と前記１または複数の値との両方に基づいて、前記媒体アクセス制御フレームのタイプを検出することと、
前記タイプに基づいて、前記媒体アクセス制御フレームを復号することと、
を備え、
前記１または複数のフィールドは、１または複数の値を有し、
前記タイプ値は、前記媒体アクセス制御フレームのタイプはエンハンスされたＰＳ−ＰＯＬＬフレームであると示し、前記持続時間フィールドの１または複数の値は、前記エンハンスされたＰＳ−ＰＯＬＬのタイプを示す方法。
【請求項９】
前記１または複数のフィールドは、リトライ・フィールドを備え、前記１または複数の値は、リトライ値を備え、
前記リトライ値は、０または１である第１のバイナリ値を有し、前記リトライ値が１である場合、前記タイプ値は、０１または１１である第２のバイナリ値を有する、請求項８に記載の方法。
【請求項１０】
前記１または複数のフィールドは、リトライ・フィールドを備え、前記１または複数の値は、リトライ値を備え、
前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、請求項８に記載の方法。
【請求項１１】
前記１または複数のフィールドは、２またはそれより多くのフィールドを備え、
連結された前記２またはそれより多くのフィールドは、前記予約された値を有し、
前記２またはそれより多くのフィールドは、２またはそれより多くの値を有する、請求項８に記載の方法。
【請求項１２】
無線通信装置であって、
タイプ値を有するタイプ・フィールドと、媒体アクセス制御フレームの特定のタイプの予約された値を有する、持続時間フィールドを含む、１または複数のフィールドと、を備えるヘッダを備える媒体アクセス制御フレームを受信する手段と、
タイプ値と前記１または複数の値との両方に基づいて、前記媒体アクセス制御フレームのタイプを検出する手段と、
前記タイプに基づいて、前記媒体アクセス制御フレームを復号する手段と、
を備え、
前記１または複数のフィールドは、１または複数の値を有し、
前記タイプ値は、前記媒体アクセス制御フレームのタイプはエンハンスされたＰＳ−ＰＯＬＬフレームであると示し、前記持続時間フィールドの１または複数の値は、前記エンハンスされたＰＳ−ＰＯＬＬのタイプを示す装置。
【請求項１３】
前記１または複数のフィールドは、リトライ・フィールドを備え、前記１または複数の値は、リトライ値を備え、
前記リトライ値は、０または１である第１のバイナリ値を有し、前記リトライ値が１である場合、前記タイプ値は、０１または１１である第２のバイナリ値を有する、請求項１２に記載の装置。
【請求項１４】
前記１または複数のフィールドは、リトライ・フィールドを備え、前記１または複数の値は、リトライ値を備え、
前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、請求項１２に記載の装置。
【請求項１５】
コンピュータによって実行された場合、前記コンピュータに対して、請求項１ないし３および／または８ないし１０のうちのいずれかにしたがう方法を実行させる命令群を備えた非一時的コンピュータ読取可能な媒体。
【手続補正２】
【補正対象書類名】明細書
【補正対象項目名】０１２０
【補正方法】変更
【補正の内容】
【０１２０】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、本願出願の当初の特許請求の範囲に記載された発明を付記する。
［１］  無線ネットワークにおいて通信する方法であって、
タイプ値を有するタイプ・フィールドと、媒体アクセス制御フレームの特定のタイプの予約された値を有する１または複数のフィールドと、を備えるヘッダを備える媒体アクセス制御フレームを、プロセッサによって生成することと、ここで、前記１または複数のフィールドは、１または複数の値を有し、前記媒体アクセス制御フレームのタイプは、タイプ値と前記１または複数の値との両方によって示される、
前記媒体アクセス制御フレームを送信することと、
を備える方法。
［２］  前記１または複数のフィールドは、リトライ・フィールドを備え、前記１または複数の値は、リトライ値を備える、［１］に記載の方法。
［３］  前記リトライ値は、０または１である第１のバイナリ値を有し、前記リトライ値が１である場合、前記タイプ値は、０１または１１である第２のバイナリ値を有する、［２］に記載の方法。
［４］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［２］に記載の方法。
［５］  前記媒体アクセス制御フレームのタイプは、複数のアクセス端末のためのブロック・アクノレッジメント・フレームである、［１］に記載の方法。
［６］  前記媒体アクセス制御フレームのタイプは、データ・フレームのための短縮されたＭＡＣヘッダを示すフレームである、［１］に記載の方法。
［７］  前記媒体アクセス制御フレームのタイプは、管理フレームのための短縮されたＭＡＣヘッダを示すフレームである、［１］に記載の方法。
［８］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［１］に記載の方法。
［９］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［８］に記載の方法。
［１０］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［８］に記載の方法。
［１１］  前記ヘッダはさらに、サブタイプ値を有するサブタイプ・フィールドを備え、前記媒体アクセス制御フレームのタイプはさらに、前記サブタイプ値によって示される、［１］に記載の方法。
［１２］  無線通信装置であって、
タイプ値を有するタイプ・フィールドと、媒体アクセス制御フレームの特定のタイプの予約された値を有する１または複数のフィールドと、を備えるヘッダを備える媒体アクセス制御フレームを生成するように構成されたプロセッサと、ここで、前記１または複数のフィールドは、１または複数の値を有し、前記媒体アクセス制御フレームのタイプは、タイプ値と前記１または複数の値との両方によって示される、
前記媒体アクセス制御フレームを無線リンクを介して送信するように構成された送信機と、
を備える装置。
［１３］  前記１または複数のフィールドは、リトライ・フィールドを備え、前記１または複数の値は、リトライ値を備える、［１２］に記載の装置。
［１４］  前記リトライ値は、０または１である第１のバイナリ値を有し、前記リトライ値が１である場合、前記タイプ値は、０１または１１である第２のバイナリ値を有する、［１３］に記載の装置。
［１５］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［１３］に記載の装置。
［１６］  前記ヘッダはさらに、サブタイプ値を有するサブタイプ・フィールドを備え、前記媒体アクセス制御フレームのタイプはさらに、前記サブタイプ値によって示される、［１２］に記載の装置。
［１７］  前記媒体アクセス制御フレームのタイプは、複数のアクセス端末のためのブロック・アクノレッジメント・フレームである、［１２］に記載の装置。
［１８］  前記媒体アクセス制御フレームのタイプは、データ・フレームのための短縮されたＭＡＣヘッダを示すフレームである、［１２］に記載の装置。
［１９］  前記媒体アクセス制御フレームのタイプは、管理フレームのための短縮されたＭＡＣヘッダを示すフレームである、［１２］に記載の装置。
［２０］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［１２］に記載の装置。
［２１］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［２０］に記載の装置。
［２２］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［２０］に記載の装置。
［２３］  前記予約された値を有する１または複数のフィールドは、媒体アクセス制御フレームの特定のタイプの予約された値を有する２またはそれより多くのフィールドを連結して備え、前記２またはそれより多くのフィールドは、２またはそれより多くの値を有し、前記媒体アクセス制御フレームのタイプは、連結された、前記タイプ値と前記２またはそれより多くの値との両方によって示される、［１］に記載の装置。
［２４］  無線通信装置であって、
タイプ値を有するタイプ・フィールドと、媒体アクセス制御フレームの特定のタイプの予約された値を有する１または複数のフィールドと、を備えるヘッダを備える媒体アクセス制御フレームを生成する手段と、ここで、前記１または複数のフィールドは、１または複数の値を有し、前記媒体アクセス制御フレームのタイプは、前記タイプ値と前記１または複数の値との両方によって示される、
前記媒体アクセス制御フレームを送信する手段と、
を備える装置。
［２５］  前記１または複数のフィールドは、リトライ・フィールドを備え、前記１または複数の値は、リトライ値を備える、［２４］に記載の装置。
［２６］  前記リトライ値は、０または１である第１のバイナリ値を有し、前記リトライ値が１である場合、前記タイプ値は、０１または１１である第２のバイナリ値を有する、［２５］に記載の装置。
［２７］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［２５］に記載の装置。
［２８］  前記ヘッダはさらに、サブタイプ値を有するサブタイプ・フィールドを備え、前記媒体アクセス制御フレームのタイプはさらに、前記サブタイプ値によって示される、［２４］に記載の装置。
［２９］  前記媒体アクセス制御フレームのタイプは、複数のアクセス端末のためのブロック・アクノレッジメント・フレームである、［２４］に記載の装置。
［３０］  前記媒体アクセス制御フレームのタイプは、データ・フレームのための短縮されたＭＡＣヘッダを示すフレームである、［２４］に記載の装置。
［３１］  前記媒体アクセス制御フレームのタイプは、管理フレームのための短縮されたＭＡＣヘッダを示すフレームである、［２４］に記載の装置。
［３２］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［２４］に記載の装置。
［３３］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［３２］に記載の装置。
［３４］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［３２］に記載の装置。
［３５］  予約された値を有する１または複数のフィールドは、媒体アクセス制御フレームの特定のタイプの予約された値を有する、連結された、２またはそれより多くのフィールドを備え、前記２またはそれより多くのフィールドは、２またはそれより多くの値を有し、前記媒体アクセス制御フレームのタイプは、前記タイプ値と、連結された前記２またはそれより多くの値との両方によって示される、［２４］に記載の装置。
［３６］  コンピュータによって実行された場合、前記コンピュータに対して、無線ネットワークにおいて通信する方法を実行させる命令群を備えたコンピュータ読取可能な媒体であって、
前記方法は、
タイプ値を有するタイプ・フィールドと、媒体アクセス制御フレームの特定のタイプの予約された値を有する１または複数のフィールドと、を備えるヘッダを備える媒体アクセス制御フレームを生成することと、ここで、前記１または複数のフィールドは、１または複数の値を有し、前記媒体アクセス制御フレームのタイプは、前記タイプ値と前記１または複数の値との両方によって示される、
前記媒体アクセス制御フレームを送信することと
を備える、コンピュータ読取可能な媒体。
［３７］  前記１または複数のフィールドは、リトライ・フィールドを備え、前記１または複数の値は、リトライ値を備える、［３６］に記載のコンピュータ読取可能な媒体。
［３８］  前記リトライ値は、０または１である第１のバイナリ値を有し、前記リトライ値が１である場合、前記タイプ値は、０１または１１である第２のバイナリ値を有する、［３７］に記載のコンピュータ読取可能な媒体。
［３９］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［３７］に記載のコンピュータ読取可能な媒体。
［４０］  前記ヘッダはさらに、サブタイプ値を有するサブタイプ・フィールドを備え、前記媒体アクセス制御フレームのタイプはさらに、前記サブタイプ値によって示される、［３６］に記載のコンピュータ読取可能な媒体。
［４１］  前記媒体アクセス制御フレームのタイプは、複数のアクセス端末のためのブロック・アクノレッジメント・フレームである、［３６］に記載のコンピュータ読取可能な媒体。
［４２］  前記媒体アクセス制御フレームのタイプは、データ・フレームのための短縮されたＭＡＣヘッダを示すフレームである、［３６］に記載のコンピュータ読取可能な媒体。
［４３］  前記媒体アクセス制御フレームのタイプは、管理フレームのための短縮されたＭＡＣヘッダを示すフレームである、［３６］に記載のコンピュータ読取可能な媒体。
［４４］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［３６］に記載のコンピュータ読取可能な媒体。
［４５］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［４４］に記載のコンピュータ読取可能な媒体。
［４６］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［４４］に記載のコンピュータ読取可能な媒体。
［４７］  予約された値を有する１または複数のフィールドは、媒体アクセス制御フレームの特定のタイプの予約された値を有する、連結された２またはそれより多くのフィールドを備え、前記２またはそれより多くのフィールドは、２またはそれより多くの値を有し、前記媒体アクセス制御フレームのタイプは、前記タイプ値と、連結された前記２またはそれより多くの値との両方によって示される、［３６］に記載のコンピュータ読取可能な媒体。
［４８］  無線ネットワークにおいて通信する方法であって、
タイプ値を有するタイプ・フィールドと、媒体アクセス制御フレームの特定のタイプの予約された値を有する１または複数のフィールドと、を備えるヘッダを備える媒体アクセス制御フレームを、受信機を用いて受信することと、ここで、前記１または複数のフィールドは、１または複数の値を有する、
タイプ値と前記１または複数の値との両方に基づいて、前記媒体アクセス制御フレームのタイプを検出することと、
前記タイプに基づいて、前記媒体アクセス制御フレームを復号することと、
を備える方法。
［４９］  前記１または複数のフィールドは、リトライ・フィールドを備え、前記１または複数の値は、リトライ値を備える、［４８］に記載の方法。
［５０］  前記リトライ値は、０または１である第１のバイナリ値を有し、前記リトライ値が１である場合、前記タイプ値は、０１または１１である第２のバイナリ値を有する、［４９］に記載の方法。
［５１］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［４９］に記載の方法。
［５２］  前記ヘッダはさらに、サブタイプ値を有するサブタイプ・フィールドを備え、前記媒体アクセス制御フレームのタイプはさらに、前記サブタイプ値によって示される、［４８］に記載の方法。
［５３］  前記媒体アクセス制御フレームのタイプは、複数のアクセス端末のためのブロック・アクノレッジメント・フレームである、［４８］に記載の方法。
［５４］  前記媒体アクセス制御フレームのタイプは、データ・フレームのための短縮されたＭＡＣヘッダを示すフレームである、［４８］に記載の方法。
［５５］  前記媒体アクセス制御フレームのタイプは、管理フレームのための短縮されたＭＡＣヘッダを示すフレームである、［４８］に記載の方法。
［５６］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［４８］に記載の方法。
［５７］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［５６］に記載の方法。
［５８］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［５６］に記載の方法。
［５９］  予約された値を有する１または複数のフィールドは、媒体アクセス制御フレームの特定のタイプの予約された値を有する、連結された２またはそれより多くのフィールドを備え、
前記２またはそれより多くのフィールドは、２またはそれより多くの値を有する、［４８］に記載の方法。
［６０］  無線通信装置であって、
タイプ値を有するタイプ・フィールドと、媒体アクセス制御フレームの特定のタイプの予約された値を有する１または複数のフィールドと、を備えるヘッダを備える媒体アクセス制御フレームを受信するように構成された受信機と、ここで、前記１または複数のフィールドは、１または複数の値を有する、
タイプ値と前記１または複数の値との両方に基づいて、前記媒体アクセス制御フレームのタイプを検出し、前記タイプに基づいて、前記媒体アクセス制御フレームを復号する
ように構成されたプロセッサと、
を備える装置。
［６１］  前記１または複数のフィールドは、リトライ・フィールドを備え、前記１または複数の値は、リトライ値を備える、［６０］に記載の装置。
［６２］  前記リトライ値は、０または１である第１のバイナリ値を有し、前記リトライ値が１である場合、前記タイプ値は、０１または１１である第２のバイナリ値を有する、［６１］に記載の装置。
［６３］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［６１］に記載の装置。
［６４］  前記ヘッダはさらに、サブタイプ値を有するサブタイプ・フィールドを備え、前記媒体アクセス制御フレームのタイプはさらに、前記サブタイプ値によって示される、［６０］に記載の装置。
［６５］  前記媒体アクセス制御フレームのタイプは、複数のアクセス端末のためのブロック・アクノレッジメント・フレームである、［６０］に記載の装置。
［６６］  前記媒体アクセス制御フレームのタイプは、データ・フレームのための短縮されたＭＡＣヘッダを示すフレームである、［６０］に記載の装置。
［６７］  前記媒体アクセス制御フレームのタイプは、管理フレームのための短縮されたＭＡＣヘッダを示すフレームである、［６０］に記載の装置。
［６８］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［６０］に記載の装置。
［６９］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［６８］に記載の装置。
［７０］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［６８］に記載の装置。
［７１］  予約された値を有する１または複数のフィールドは、媒体アクセス制御フレームの特定のタイプの予約された値を有する、連結された２またはそれより多くのフィールドを備え、
前記２またはそれより多くのフィールドは、２またはそれより多くの値を有する、［６０］に記載の装置。
［７２］  無線通信装置であって、
タイプ値を有するタイプ・フィールドと、媒体アクセス制御フレームの特定のタイプの予約された値を有する１または複数のフィールドと、を備えるヘッダを備える媒体アクセス制御フレームを受信する手段と、ここで、前記１または複数のフィールドは、１または複数の値を有する、
タイプ値と前記１または複数の値との両方に基づいて、前記媒体アクセス制御フレームのタイプを検出する手段と、
前記タイプに基づいて、前記媒体アクセス制御フレームを復号する手段と、
を備える装置。
［７３］  前記１または複数のフィールドは、リトライ・フィールドを備え、前記１または複数の値は、リトライ値を備える、［７２］に記載の装置。
［７４］  前記リトライ値は、０または１である第１のバイナリ値を有し、前記リトライ値が１である場合、前記タイプ値は、０１または１１である第２のバイナリ値を有する、［７３］に記載の装置。
［７５］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［７３］に記載の装置。
［７６］  前記ヘッダはさらに、サブタイプ値を有するサブタイプ・フィールドを備え、前記媒体アクセス制御フレームのタイプはさらに、前記サブタイプ値によって示される、［７２］に記載の装置。
［７７］  前記媒体アクセス制御フレームのタイプは、複数のアクセス端末のためのブロック・アクノレッジメント・フレームである、［７２］に記載の装置。
［７８］  前記媒体アクセス制御フレームのタイプは、データ・フレームのための短縮されたＭＡＣヘッダを示すフレームである、［７２］に記載の装置。
［７９］  前記媒体アクセス制御フレームのタイプは、管理フレームのための短縮されたＭＡＣヘッダを示すフレームである、［７２］に記載の装置。
［８０］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［７２］に記載の装置。
［８１］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［８０］に記載の装置。
［８２］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［８０］に記載の装置。
［８３］  予約された値を有する１または複数のフィールドは、媒体アクセス制御フレームの特定のタイプの予約された値を有する、連結された２またはそれより多くのフィールドを備え、前記２またはそれより多くのフィールドは、２またはそれより多くの値を有する、［７２］に記載の装置。
［８４］  コンピュータによって実行された場合、前記コンピュータに対して、無線ネットワークにおいて通信する方法を実行させる命令群を備えたコンピュータ読取可能な媒体であって、
前記方法は、
タイプ値を有するタイプ・フィールドと、媒体アクセス制御フレームの特定のタイプの予約された値を有する１または複数のフィールドと、を備えるヘッダを備える媒体アクセス制御フレームを受信することと、ここで、前記１または複数のフィールドは、１または複数の値を有する、
タイプ値と前記１または複数の値との両方に基づいて、前記媒体アクセス制御フレームのタイプを検出することと、
前記タイプに基づいて、前記媒体アクセス制御フレームを復号することと
を備える、コンピュータ読取可能な媒体。
［８５］  前記１または複数のフィールドは、リトライ・フィールドを備え、前記１または複数の値は、リトライ値を備える、［８４］に記載のコンピュータ読取可能な媒体。
［８６］  前記リトライ値は、０または１である第１のバイナリ値を有し、前記リトライ値が１である場合、前記タイプ値は、０１または１１である第２のバイナリ値を有する、［８５］に記載のコンピュータ読取可能な媒体。
［８７］  前記媒体アクセス制御フレームのタイプは、前記リトライ値がゼロである場合に定義された媒体アクセス制御フレーム・タイプと比較して、前記リトライ値が１である場合に長さが低減されたフレーム・タイプに対応する、［８５］に記載のコンピュータ読取可能な媒体。
［８８］  前記ヘッダはさらに、サブタイプ値を有するサブタイプ・フィールドを備え、前記媒体アクセス制御フレームのタイプはさらに、前記サブタイプ値によって示される、［８４］に記載のコンピュータ読取可能な媒体。
［８９］  前記媒体アクセス制御フレームのタイプは、複数のアクセス端末のためのブロック・アクノレッジメント・フレームである、［８４］に記載のコンピュータ読取可能な媒体。
［９０］  前記媒体アクセス制御フレームのタイプは、データ・フレームのための短縮されたＭＡＣヘッダを示すフレームである、［８４］に記載のコンピュータ読取可能な媒体。
［９１］  前記媒体アクセス制御フレームのタイプは、管理フレームのための短縮されたＭＡＣヘッダを示すフレームである、［８４］に記載のコンピュータ読取可能な媒体。
［９２］  前記媒体アクセス制御フレームのタイプは、エンハンスされたＰＳ−ＰＯＬＬフレーム、シーケンス・ナンバおよび／またはスリープ時間を含むエンハンスされたＡＣＫフレーム、エンハンスされたＲＴＳフレーム、またはエンハンスされたＣＴＳフレームのうちの１つである、［８４］に記載のコンピュータ読取可能な媒体。
［９３］  前記媒体アクセス制御フレームのタイプは、エンハンスされたＰＳ−ＰＯＬＬフレームであり、前記１または複数のフィールドは、持続時間フィールドであり、前記１または複数の値は、持続時間値である、［９２］に記載のコンピュータ読取可能な媒体。
［９４］  前記媒体アクセス制御フレームのタイプは、エンハンスされたＰＳ−ＰＯＬＬフレームであり、前記１または複数のフィールドは、ＡＣＫインジケーション・フィールドであり、前記１または複数の値は、ＡＣＫインジケーション値である、［９２］に記載のコンピュータ読取可能な媒体。
［９５］  予約された値を有する１または複数のフィールドは、媒体アクセス制御フレームの特定のタイプの予約された値を有する、連結された２またはそれより多くのフィールドを備え、前記２またはそれより多くのフィールドは、２またはそれより多くの値を有する、［８４］に記載のコンピュータ読取可能な媒体。